(57)【要約】      （修正有）【課題】持続的にスチームを出すことを実現することができ、且つ頻繁に水を加える必要のない手持ち型電気アイロンを提案する。【解決手段】本発明の手持ち型電気アイロンは、ハウジングと、底板アセンブリであって、前記底板アセンブリ内に気化室を有し、前記底板アセンブリと前記ハウジングとの間に取付室が区画される底板アセンブリと、前記取付室内に設けられ且つ前記気化室と連通して前記気化室に給水する水タンクアセンブリを含み、前記水タンクアセンブリは、水タンクと、水ポンプと、吸水可能な吸水部材７とを含む。吸水部材７は、水タンクを構成する水タンク上蓋３１６に取り付けられて、少なくとも一部が水タンク内の水に浸漬しており、これにより、手持ち型電気アイロンが鉛直で使用される場合においても、水ポンプに給水することができる。【選択図】図８
2019051289.tif 000002
【特許請求の範囲】
【請求項１】
ハウジングと、
底板アセンブリであって、前記底板アセンブリ内に気化室を有し、前記底板アセンブリと前記ハウジングとの間が取付室として規定される底板アセンブリと、
前記取付室内に設けられ、且つ前記気化室と連通して前記気化室に給水する水タンクアセンブリを含み、
前記水タンクアセンブリは、水タンクと、水ポンプと、吸水可能な吸水部材とを含み、
前記水タンクは給水口と出水口とを有し、前記水タンク内にそれぞれ前記給水口及び前記出水口と連通する貯水室を有し、
前記水ポンプは流入管を介して前記出水口と連通し、且つ流出管を介して前記気化室と連通し、
前記吸水部材は前記貯水室から吸水して前記水ポンプに給水するように構成される、
ことを特徴とする手持ち型電気アイロン。
【請求項２】
前記吸水部材は、前記貯水室内に設けられ、且つ水を保持して前記水ポンプに給水することができる、
ことを特徴とする請求項１に記載の手持ち型電気アイロン。
【請求項３】
前記吸水部材は、吸水スポンジ又は不織布によって製作される、
ことを特徴とする請求項１に記載の手持ち型電気アイロン。
【請求項４】
前記水タンクアセンブリは、前記貯水室内に設けられ且つ前記出水口と連通する継手パイプをさらに含み、前記吸水部材は、前記継手パイプに接続される、
ことを特徴とする請求項２に記載の手持ち型電気アイロン。
【請求項５】
前記吸水部材は柱状に形成され、前記吸水部材の一端が前記継手パイプ内に嵌入されて前記継手パイプに給水する、
ことを特徴とする請求項４に記載の手持ち型電気アイロン。
【請求項６】
前記水タンク内に吸水位置制限部が設けられ、前記吸水位置制限部に位置制限溝が設けられ、前記吸水部材は、少なくとも一部が前記位置制限溝内に挟み込まれている、
ことを特徴とする請求項２に記載の手持ち型電気アイロン。
【請求項７】
前記吸水位置制限部は複数であり、且つ前記水タンクの内頂壁に設けられ、複数の前記吸水位置制限部は、前記吸水部材の長手方向に沿って間隔を置いて設けられ、各前記吸水位置制限部の前記位置制限溝の開口が下向きである、
ことを特徴とする請求項６に記載の手持ち型電気アイロン。
【請求項８】
前記水タンクの水平面への正投影の左から右への方向に沿って、前記水タンクの幅寸法が次第に大きくなり、前記吸水部材は、前記水タンクの幅が比較的大きい側に設けられ、前記吸水部材は、前記水タンクの幅方向に沿って延びている、
ことを特徴とする請求項２に記載の手持ち型電気アイロン。
【請求項９】
前記吸水部材の一端は前記出水口と連通し、前記吸水部材の他端は前記水タンクの前記出水口から離れた幅方向における他方側の内壁面まで延びている、
ことを特徴とする請求項８に記載の手持ち型電気アイロン。
【請求項１０】
前記底板アセンブリの上に設けられて前記底板アセンブリと前記水タンクアセンブリとを離間させる断熱部材をさらに含む、
ことを特徴とする請求項１に記載の手持ち型電気アイロン。
【発明の詳細な説明】
【技術分野】
【０００１】
本発明は、家庭用電気機器技術分野に関し、特に手持ち型電気アイロンに関する。
【背景技術】
【０００２】
従来技術における手持ち型電気アイロンには、以下のような問題が存在する。アイロンを垂直で吊るしがけする場合に、３６０°にわたってスチームを出すことを実現することができないため、ユーザが衣類にアイロンをかける際に、ハンディスチーマーを一定の範囲内でしか回動させることができず、回動が一定の範囲を超えると、スチームが出なくなるため、アイロンをかける範囲が比較的小さく、効率が低い上に、ユーザが思うままにあらゆる角度で衣類にアイロンをかけることができない。関連技術における電気アイロンは、吸水管の一端が金属材質の重りに接続され、重りの重さにより左右に揺動して吸水し、これにより、３６０°にわたってスチームを出すことが実現されるが、重りが揺動する過程において、水タンクの内壁に当たり、雑音が発生する。また、重りが水タンクの底部から一定の距離、離れているため、水タンク内のかなりの部分の水が吸い出されず、水の利用率が低く、ユーザが頻繁に水を加えることになる。
【発明の概要】
【発明が解決しようとする課題】
【０００３】
本発明は、関連技術における少なくとも一つの技術的課題をある程度で解決することを目的とする。そのため、本発明は、持続的にスチームを出すことを実現することができ、且つ頻繁に水を加える必要のない手持ち型電気アイロンを提案する。
【課題を解決するための手段】
【０００４】
本発明の実施例に係る手持ち型電気アイロンは、ハウジングと、底板アセンブリであって、前記底板アセンブリ内に気化室を有し、前記底板アセンブリと前記ハウジングとの間が取付室として規定される底板アセンブリと、前記取付室内に設けられ、且つ前記気化室と連通して前記気化室に給水する水タンクアセンブリを含み、前記水タンクアセンブリは、水タンクと、水ポンプと、吸水可能な吸水部材とを含み、前記水タンクは給水口と出水口とを有し、前記水タンク内にそれぞれ前記給水口及び前記出水口と連通する貯水室を有し、前記水ポンプは流入管を介して前記出水口と連通し、且つ流出管を介して前記気化室と連通し、前記吸水部材は前記貯水室から吸水して前記水ポンプに給水するように構成される。
【０００５】
これにより、本発明の実施例に係る手持ち型電気アイロンは、吸水部材を設け、吸水部材が貯水室内の水を吸水して水ポンプに給水することにより、手持ち型電気アイロンを鉛直でかけても、水平でかけても、持続的にスチームを出すことができ、これにより、電気アイロンが異なる位置にある又は一定の角度回転した場合に、水タンク中の水を吸い出せないことを回避することができ、ユーザが水タンク内に頻繁に水を加える必要がない。
【０００６】
また、本発明の実施例に係る手持ち型電気アイロンは、以下の付加的技術特徴をさらに有してもよい。
【０００７】
本発明の一部の実施例によると、前記吸水部材は、前記貯水室内に設けられ、且つ水を保持して前記水ポンプに給水することができる。
【０００８】
好ましくは、前記吸水部材は、吸水スポンジ又は不織布によって製作される。
【０００９】
好ましくは、前記水タンクアセンブリは、前記貯水室内に設けられ且つ前記出水口と連通する継手パイプをさらに含み、前記吸水部材は、前記継手パイプに接続される。
【００１０】
さらに、前記吸水部材は柱状に形成され、前記吸水部材の一端が前記継手パイプ内に嵌入されて前記継手パイプに給水する。
【００１１】
好ましくは、前記水タンク内に吸水位置制限部が設けられ、前記吸水位置制限部に位置制限溝が設けられ、前記吸水部材は、少なくとも一部が前記位置制限溝内に挟み込まれている。
【００１２】
さらに、前記吸水位置制限部は複数であり、且つ前記水タンクの内頂壁に設けられ、複数の前記吸水位置制限部は、前記吸水部材の長手方向に沿って間隔を置いて設けられ、各前記吸水位置制限部の前記位置制限溝の開口が下向きである。
【００１３】
好ましくは、前記水タンクの水平面への正投影の左から右への方向に沿って、前記水タンクの幅寸法が次第に大きくなり、前記吸水部材は前記水タンクの幅が比較的大きい側に設けられ、前記吸水部材は前記水タンクの幅方向に沿って延びている。
【００１４】
さらに、前記吸水部材の一端は前記出水口と連通し、前記吸水部材の他端は前記水タンクの前記出水口から離れた幅方向における他方側の内壁面まで延びている。
【００１５】
本発明の一部の実施例によると、前記手持ち型電気アイロンは、前記底板アセンブリの上に設けられて前記底板アセンブリと前記水タンクアセンブリとを離間させる断熱部材をさらに含む。
【発明の効果】
【００１６】
本発明の付加的な特徴及び利点は、以下の説明において一部が示され、一部が以下の説明により明らかになる、または、本発明の実施により理解される。
【図面の簡単な説明】
【００１７】
【図１】図１は本発明の実施例に係る手持ち型電気アイロンの概略構造図である。
【図２】図２は本発明の実施例に係る手持ち型電気アイロンの一部の概略構造図である。
【図３】図３は本発明の実施例に係る手持ち型電気アイロンの水タンクアセンブリ及び底板アセンブリの概略構造図である。
【図４】図４は本発明の実施例に係る手持ち型電気アイロンの水タンクアセンブリ及び底板アセンブリの別の角度の概略構造図である。
【図５】図５は本発明の実施例に係る手持ち型電気アイロンの水タンクの概略構造図である。
【図６】図６は本発明の実施例に係る手持ち型電気アイロンの水タンクの平面図である。
【図７】図７は図６中のＡ−Ａ線に沿う断面図である。
【図８】図８は本発明の実施例に係る手持ち型電気アイロンの水タンクの上蓋、継手パイプ及び吸水部材の概略構造図である。
【図９】図９は本発明の実施例に係る手持ち型電気アイロンの水タンクの上蓋の概略構造図である。
【図１０】図１０は本発明の実施例に係る手持ち型電気アイロンの底板アセンブリの概略構造図である。
【図１１】図１１は本発明の実施例に係る手持ち型電気アイロンの底板アセンブリの底面図である。
【図１２】図１２は本発明の実施例に係る手持ち型電気アイロンの回転時の概略図である。
【図１３】図１３は本発明の実施例に係る手持ち型電気アイロンを水平にしてかける場合の水タンク及び水タンク内の水の概略図である。
【図１４】図１４は本発明の実施例に係る手持ち型電気アイロンを垂直にしてかける場合に時計回りに回転する時の水タンクの回転状態図である。
【図１５】図１５は本発明の実施例に係る手持ち型電気アイロンを垂直にしてかける場合に反時計回りに回転する時の水タンクの回転状態図である。
【発明を実施するための形態】
【００１８】
以下に、本発明の実施例を詳しく説明する。前記実施例の例が図面に示される。以下に、図面を参照することにより説明される実施例は、例示的なものであり、本発明の解釈を旨とし、本発明を限定するものと理解してはいけない。
【００１９】
本発明の説明において、「中心」、「縦方向」、「横方向」、「長さ」、「幅」、「厚み」、「上」、「下」、「前」、「後」、「左」、「右」、「鉛直」、「水平」、「頂」、「底」、「内」、「外」、「時計回り」、「逆時計回り」、「軸方向」、「径方向」、「周方向」などの用語が示す方位又は位置関係は、図面に示す方位又は位置関係に基づくものであって、本発明を便利且つ簡単に説明するためのものに過ぎず、指定された装置又は部品が特定の方位にあり、特定の方位において構成され操作されることが必要であると指示又は暗示するものではないので、本発明を限定するものと理解してはいけない。
【００２０】
なお、「第１」、「第２」の用語は目的を説明するためだけに用いられるものであり、相対的な重要性を指示又は暗示するか、或いは示された技術的特徴の数を黙示的に指示すると理解してはいけない。よって、「第１」、「第２」によって限定されている特徴は、少なくとも一つの前記特徴を含むことを明示又は暗示するものである。本発明の説明において、明確且つ具体的な限定がない限り、「複数」とは、少なくとも二つ、例えば、二つ、三つなどを意味する。
【００２１】
なお、本発明において、明確な規定と限定がない限り、「取り付け」、「互いに接続」、「接続」、「固定」などの用語の意味は広義に理解されるべきである。例えば、固定接続や、着脱可能な接続や、或いは一体的な接続でも可能である。機械的な接続や、電気的な接続や、或いは互いに通信可能とすることも可能である。直接的に接続することや、中間媒体を介して間接的に接続することや、二つの部品の内部が連通することや、或いは二つの部品の間に相互の作用関係があることも可能である。当業者にとって、具体的な状況に応じて上記用語の本発明における具体的な意味を理解することができる。
【００２２】
以下、本発明の実施例に係る手持ち型電気アイロン１００について、図面を参照して説明する。
【００２３】
図１〜図１５に示すように、本発明の実施例に係る手持ち型電気アイロン１００は、ハウジング１と、底板アセンブリ２と、水タンクアセンブリ３と、吸水可能な吸水部材７と、を含んでも良い。
【００２４】
底板アセンブリ２内に気化室２１を有し、底板アセンブリ２とハウジング１との間は取付室として規定され、水タンクアセンブリ３は、取付室内に設けられ、且つ気化室２１と連通されて気化室２１に給水する。具体的には、底板アセンブリ２とハウジング１とによって、手持ち型電気アイロン１００の外部ケーシングを形成することができ、ハウジング１は、下端が開放され、底板アセンブリ２とはめ合わされて、取付室を規定する。水タンクアセンブリ３は、底板アセンブリ２の上に取り付けられ、且つ取付室内に位置する。水タンクアセンブリ３は、貯水して底板アセンブリ２に給水する。水タンクアセンブリ３内の水は、気化室２１内に流入することができる。底板アセンブリ２は、流入した水を加熱して、水を充分に気化させ、気化されたスチームは、底板アセンブリ２から流出することができる。図１１に示すように、底板アセンブリ２に気化室２１と連通されるスチーム排出孔２２が設けられてもよく、スチームは、スチーム排出孔２２から流出することができる。
【００２５】
水タンクアセンブリ３は、水タンク３１と、水ポンプ３２と、を含み、水タンク３１は、給水口３１１と、出水口３１２と、を有し、水タンク３１内には、それぞれ給水口３１１及び出水口３１２と連通する貯水室３１３を有し、水ポンプ３２は、流入管３３を介して出水口３１２と連通し、且つ流出管３４を介して気化室２１と連通する。
【００２６】
言い換えると、水タンク３１は、貯水することができ、水ポンプ３２は、水タンク３１内の水が底板アセンブリ２へ流れるように動力を供給することができる。このようにして、水ポンプ３２の吸引力の作用で、水タンク３１内の水を気化室２１に圧送することができる。具体的には、ユーザは、給水口３１１から貯水室３１３内に水を加えることができ、水が貯水室３１３内に貯蔵され、貯水室３１３内の水は、出水口３１２から流出することができる。水ポンプ３２は、それぞれ流入管３３及び流出管３４に接続される。ここで、流入管３３が、水ポンプ３２と水タンク３１の出水口３１２とを連通させ、出水口３１２が、水ポンプ３２と底板アセンブリ２の気化室２１とを連通させ、このように、水ポンプ３２の作用で、貯水室３１３内の水は、出水口３１２を通って流出して、流入管３３を通って水ポンプ３２に流れて、流出管３４を通って気化室２１に流れる。
【００２７】
吸水部材７は、貯水室３１３から吸水して水ポンプ３２に給水するように構成される。具体的には、吸水部材７は、吸水の特性を有し、吸水部材７は、貯水室３１３内の水を吸収することができ、吸水部材７は、出水口３１２に隣接して設けられ、水ポンプ３２が作動する際に、吸水部材７は、貯水室３１３内の水を吸収して貯蔵することができ、水ポンプ３２の吸引力の作用で、吸水部材７内の水は、流入管３３を通って水ポンプ３２に流れることができる。このように、電気アイロン１００が作動する際に、吸水部材７は、常に水ポンプ３２に給水することができ、これにより、電気アイロン１００は、水平又は鉛直にされている場合に関わらず、スチームを出して衣類にアイロンをかけることができる。
【００２８】
具体的には、手持ち型電気アイロン１００が正常に使用される場合（即ち、手持ち型電気アイロン１００が水平にされる場合）に、吸水部材７は、少なくとも一部が水に浸漬しており、これにより、吸水して水ポンプ３２に給水することができる。手持ち型電気アイロン１００が鉛直で使用される場合に、吸水部材７が水に浸漬されているときは、常に水ポンプ３２に給水することができ、吸水部材７が水から離れているときは、吸水部材７中に貯蔵された水が水ポンプ３２に流れることができる。このようにして、手持ち型電気アイロン１００は、水平でかけても、垂直でかけても、いずれもスチームを出すことができ、これにより、手持ち型電気アイロン１００が垂直で使用される場合、３６０°にわたってスチームを出すことを実現することができる。
【００２９】
これにより、本発明の実施例に係る手持ち型電気アイロン１００は、貯水室３１３内の水を吸収して水ポンプ３２に給水できる吸水部材７を設けることにより、手持ち型電気アイロン１００を鉛直でかけても、水平でかけても、持続的にスチームを出すことができる。これにより、電気アイロン１００が異なる位置にある又は一定の角度回転した場合に、水タンク３１中の水を吸い出せないことを回避することができ、ユーザが水タンク３１内に頻繁に水を加える必要がない。
【００３０】
本発明の一部の実施例において、吸水部材７は、貯水室３１３内に設けられ、且つ水を保持して水ポンプ３２に給水することができる。このようにして、吸水部材７が水と接触した場合に、吸水部材７は、電気アイロン１００がスチームを出すことを維持するために、貯水室３１３内の水を吸収して水ポンプ３２に給水することができ、吸水部材７が水から離れた場合に、吸水部材７は水と接触する際に吸収した水を吸水部材７内に貯蔵することができるので、この場合、水ポンプ３２は、吸水部材７内に貯蔵された水を吸い出して、気化させてスチームを生成するために用いられる。これにより、吸水部材７内に貯蔵される水は、電気アイロン１００がスチームを出すことを維持することができる。さらに、電気アイロン１００はアイロンがけしている間、絶えず揺動するため、水タンク３１内の水が絶えず揺れ、吸水部材７は、絶えず水をかけられ、これにより、電気アイロン１００は、持続的にスチームを出すことができる。
【００３１】
例えば、電気アイロン１００を水平にして使用する場合に、吸水部材７は、貯水室３１３内の水を吸収して水ポンプ３２に給水することができる。図１２〜図１５に示すように、電気アイロン１００を鉛直にして使用する場合に、手持ち型電気アイロン１００が一定角度の範囲内で回転しているときは、吸水部材７は常に水と接触し、これにより、貯水室３１３内の水を吸収して水ポンプ３２に給水し、電気アイロン１００は、スチームを生成することができる。手持ち型電気アイロン１００が回転して一定の範囲を超えたときは、吸水部材７は水から離れるが、吸水部材７が保水機能を有するため、この場合、吸水部材７内に、一定量の水が貯蔵されているため、水ポンプ３２に給水することができ、これにより、電気アイロン１００は、スチームを出すことができ、スチームを一定の時間にわたって維持することができる。電気アイロン１００はアイロンがけしている間、絶えず揺動するため、水タンク３１内の水は、絶えず揺れ、これにより、吸水部材７は、絶えず水を吸収し、そして貯蔵して水ポンプ３２に給水し、手持ち型電気アイロン１００は、鉛直面において持続的に３６０°にわたってスチームを出すことを実現することができる。
【００３２】
好ましくは、吸水部材７は、吸水材料によって製作されてもよい。例えば、吸水部材７は、吸水スポンジ又は不織布によって製作されてもよい。吸水スポンジ又は不織布により、水タンク３１内の水を吸収することができ、且つ水をスポンジ内に保持することができる。水ポンプ３２が作動して、吸引力が吸水部材７にかけられ、吸水スポンジ、不織布内の水が吸い出されて底板アセンブリ２の気化室２１に給水する。これにより、手持ち型電気アイロン１００が３６０°にわたってスチームを出すことを実現することができるだけではなく、スポンジが一定の柔軟性を有するため、吸水部材７がスポンジとぶつかることによって雑音が発生することをも回避することができる。また、スポンジは、一定の雑音低減機能を有するため、電気アイロン１００が雑音を出すことをさらに回避することができる。また、スポンジのコストが低いため、電気アイロン１００のコストを低減させることもできる。なお、当然のことながら、吸水部材７は、他の吸水材料によって製作されてもよい。例えば、吸水部材７は、吸水綿又は吸水紙によって製作されてもよい。吸水部材７の吸水材料としては、水を吸収することができ、且つ吸収した水を水ポンプ３２に給水することさえできればよい。
【００３３】
さらに、吸水スポンジがＰＵスポンジであってもよい。PUスポンジは親水性がよく、吸水部材７の吸水機能及び保水機能を確保することができ、しかも、PUスポンジは、耐高温性と、耐酸耐アルカリ性と、柔軟強靭性という特性を有し、吸水部材７の使用寿命及び実用性をも確保することができる。
【００３４】
本発明の一部の例において、水タンクアセンブリ３は、継手パイプ４をさらに含んでもよい。継手パイプ４は貯水室３１３内に設けられ、且つ出水口３１２と連通し、吸水部材７は継手パイプ４に接続される。図６〜図８に示すように、継手パイプ４の一端が水タンク３１の出水口３１２に接続され、継手パイプ４の他端が吸水部材７に接続される。これにより、継手パイプ４により吸水部材７の接続を便利にするとともに、継手パイプ４により吸水部材７内の水が出水口３１２に流れる上で有利である。好ましくは、図７及び図８に示すように、吸水部材７は、柱状に形成され、吸水部材７の一端が継手パイプ４内に嵌入して継手パイプ４に給水してもよい。これにより、吸水部材７内の水を直接継手パイプ４へ吸引することができ、吸水部材７内の水がすべて継手パイプ４を介して流入管３３に流れることを確保することができる。例えば、吸水部材７は、円柱形状に形成されてもよいし、又は、吸水部材７は、横断面が三角形、四角形又は多角形である立体柱状に形成されてもよい。
【００３５】
図５〜図９に示す例において、水タンク３１に継手パイプ固定スリーブ３１５が設けられてもよい。継手パイプ４の一端が継手パイプ固定スリーブ３１５にはめ込まれることにより、継手パイプ４の固定取付が実現される。さらに、継手パイプ４の上部に流入管スリーブ３１４が設けられ、流入管３３は、流入管スリーブ３１４を介して水タンク３１に接続されてもよい。
【００３６】
本発明の一部の例において、水タンク３１内に吸水位置制限部５が設けられ、吸水位置制限部５に位置制限溝５１が設けられ、吸水部材７は、少なくとも一部が位置制限溝５１内に挟み込まれてもよい。これにより、位置制限溝５１により吸水部材７を位置制限して固定し、水タンク３１内の水によって吸水部材７が揺れ動き、変位することを防止することができる。
【００３７】
好ましくは、吸水位置制限部５は、水タンク３１の内頂壁に複数設けられ、複数の吸水位置制限部５は、吸水部材７の長手方向に沿って間隔を置いて設けられ、各吸水位置制限部５の位置制限溝５１の開口が下向きであってもよい。具体的には、吸水部材７は、水タンク３１の内側の底面に支持され、複数の吸水位置制限部５の位置制限溝５１が吸水部材７の上部に挟み込むようにして設けられ、これにより、吸水位置制限部５及び水タンク３１の内側の底面により吸水部材７を支持して固定することができ、吸水部材７の変位を防止し、しかも、吸水位置制限部５が複数であるため、吸水部材７の長手方向における複数の箇所を位置制限することができ、吸水部材７の固定効果をさらに向上させる。
【００３８】
本発明の一部の実施例において、図６に示すように、水タンク３１は、水平面への正投影の左から右への方向に沿って、幅寸法が次第に大きくなり、吸水部材７は、水タンク３１の幅が比較的大きい側に設けられ、吸水部材７は水タンク３１の幅方向に沿って延びている。これにより、吸水部材７を水タンク３１内に取り付けるとき有利であるとともに、吸水部材７の長さを増やすこともでき、吸水部材７が充分な水を吸収して水ポンプ３２に給水することができる上に、電気アイロン１００が回転している間、吸水部材７をできるだけ水と接触させて水を吸収させることができ、電気アイロン１００が蒸気を生成できることを確保する。なお、本発明における上下左右の方向は、いずれも図面に示す方向を指し、ここで、上下方向は、即ち電気アイロン１００が水平にされる正常な使用状態の場合の上下方向である。
【００３９】
好ましくは、吸水部材７の一端が出水口３１２と連通し、吸水部材７の他端が水タンク３１の出水口３１２から離れた幅方向における他方側の内壁面まで延びていてもよい。これにより、吸水部材７の延びる長さ及び吸水部材７の吸水能力をできるだけ確保することができる。図６、図７及び図１３に示す例において、出水口３１２は、水タンク３１の幅方向における一端に設けられ、吸水部材７の一端が出水口３１２に接続され、吸水部材７の他端が水タンク３１の幅方向における他端の内壁面に当接される。このようにすることで、電気アイロン１００が回転している間、重力の作用により、水が常に水タンク３１の最低位置にある。吸水部材７が水タンク３１の幅方向における一端から他端まで延びており、これにより、できるだけ吸水部材７を水と接触させて水を吸収させることができる。好ましくは、吸水部材７が斜めに配置されてもよく、例えば、吸水部材７が水タンク３１の幅方向に対して斜めに配置されてもよい。
【００４０】
本発明の一部の実施例において、手持ち型電気アイロン１００は、断熱部材６をさらに含んでもよい。断熱部材６は、底板アセンブリ２の上に設けられて、底板アセンブリ２と水タンクアセンブリ３とを離間させる。具体的には、水タンクアセンブリ３及びハウジング１は、断熱板の上方に取り付けられ、底板アセンブリ２は、断熱部材６の下方に位置し、底板アセンブリ２に加熱装置が設けられ、断熱部材６により底板アセンブリ２の熱が水タンクアセンブリ３に伝達することを防止することができ、これにより、水タンクアセンブリ３の過熱による水ポンプ３２の正常作動への影響を回避し、電気アイロン１００の使用寿命及び安全性を向上させることができる。さらに、ハウジング１も、断熱部材６により底板アセンブリ２から断熱することができ、底板アセンブリ２の熱がハウジング１に伝達してユーザにやけどを負わせることを防止する。
【００４１】
以下、図面を参照して本発明の実施例に係る手持ち型電気アイロン１００の一具体例を説明し、なお、以下の説明は単なる例示的な説明であり、本発明の実施例を限定するものと理解してはいけない。
【００４２】
図１〜図１５に示すように、本発明の実施例に係る手持ち型電気アイロン１００は、ハウジング１と、底板アセンブリ２と、断熱部材６と、水タンク３１と、水ポンプ３２と、継手パイプ４と、吸水スポンジと、を含んでも良い。
【００４３】
図１〜図４に示すように、断熱部材６は、底板アセンブリ２に設けられ、ハウジング１は、断熱部材６の上方に設けられ、ハウジング１に取手１１が設けられてもよい。ハウジング１と底板アセンブリ２との間は、取付室として規定され、水タンク３１及び水ポンプ３２は取付室内に設けられ、且つ断熱部材６の上方に位置する。断熱部材６により、底板アセンブリ２の熱がハウジング１、水タンク３１及び水ポンプ３２に伝達することを防止することができる。
【００４４】
底板アセンブリ２内に気化室２１を有し、底板アセンブリ２にスチーム排出孔２２が設けられ、気化室２１は、スチームを生成し、気化室２１内のスチームは、スチーム排出孔２２を介して排出されて、衣類にアイロンをかけることに使用することができる。
【００４５】
水タンク３１は、給水口３１１と、出水口３１２と、貯水室３１３とを有し、給水口３１１を介して水タンク３１内に水を加えることができる。水ポンプ３２は、流入管３３を介して出水口３１２に接続され、且つ流出管３４を介して底板アセンブリ２の気化室２１と連通する。これにより、水タンク３１内の水は、順に、出水口３１２、流入管３３、水ポンプ３２、及び流出管３４を通過して、底板アセンブリ２に流れることができる。図５〜図７に示すように、水タンク３１は、水タンク上蓋３１６と、水タンク下蓋３１７とを含んでもよい。ここで、給水口３１１及び出水口３１２は、水タンク上蓋３１６に設けられ、且つ水タンク上蓋３１６の上部に位置してもよい。図４に示すように、ハウジング１の外部から給水口３１１に水を加えることができ、これにより、水タンク３１を取り出す必要がなく、水タンク３１内に水を加えることが便利になる。
【００４６】
水タンク３１の給水口３１１に継手パイプ固定スリーブ３１５と流入管スリーブ３１４とが設けられ、流入管３３は、流入管スリーブ３１４にはめ込まれ、継手パイプ４は、水タンク３１内に設けられ、継手パイプ４は、継手パイプ固定スリーブ３１５にはめ込まれてもよい。これにより、継手パイプ４及び流入管３３と、水タンク３１との接続が便利になる。
【００４７】
吸水スポンジは貯水室３１３内に設けられ、且つ出水口３１２に隣接して配置され、吸水スポンジの一端が継手パイプ４に嵌入され、吸水スポンジ及び継手パイプ４が縦方向の内壁面に密着し、水タンク３１内に吸水位置制限部５が設けられ、吸水位置制限部５の下端に開口が下向きであるＵ形溝が形成され、Ｕ形溝及び水タンク３１の内底面により吸水スポンジを支持して固定し、アイロン全体が使用される際に水タンク３１内の水が揺れることによって吸水スポンジが力を受けて変位することを防止することができる。
【００４８】
ここで、手持ち型電気アイロン１００が正常に使用される場合（手持ち型電気アイロン１００を水平にしてかける場合）に、吸水スポンジが常に水に浸漬され、これにより、気化室２１にスチームを生成するための水を供給することができる。手持ち型電気アイロン１００を垂直でかける場合に、電気アイロン１００は回転し、水タンク３１内の水がそれにつれて揺れる。電気アイロン１００が一定の角度に回転すると、吸水スポンジは水から離れるが、吸水スポンジは保水機能を有するため、この場合、水ポンプ３２は、スポンジ内に貯蔵される水を吸い出して気化室２１に給水することができ、これにより、底板アセンブリ２は、持続的にスチームを出すことができる。
【００４９】
以下、上記実施例の手持ち型電気アイロン１００を参照してその作動過程を説明する。
【００５０】
水ポンプ３２の作動により、吸引力を吸水スポンジに加え、吸水スポンジの吸水特性を利用して、水タンク３１内の水を吸い出す。水は流入管３３を通過し、その後、水ポンプ３２を通過し、次に流出管３４を通過し、最後に底板アセンブリ２の気化室２１に入る。底板アセンブリ２が発熱して気化室２１内に流入した水を加熱することができるため、水は充分に気化され、最終的にスチームになって、底板アセンブリ２のスチーム排出孔２２から出る。以下のように理解されてもよい。吸水スポンジに水が付着していれば、水ポンプ３２は、水を吸い出すことができるので、手持ち型電気アイロン１００は、どんな角度でかけられても、スチームを出すことができる。これにより、水平でかけても、垂直でかけても、手持ち型電気アイロン１００は、３６０°にわたってスチームを出すことができる。
【００５１】
具体的には、図１２〜図１５に示すように、電気アイロン１００を水平でかける場合、吸水スポンジが水に浸漬されているため、３６０°にわたってスチームを出すことを実現することができるが、電気アイロン１００を垂直でかけ、水タンク３１が１８０°に位置する場合に、水タンク３１中の水が不足すると、吸水スポンジが水に浸漬されていないという状況が現れるが、吸水スポンジが保水機能を有するため、吸水スポンジ内には、一定量の水を貯蔵することができる。このようにすることで、たとえ吸水スポンジが水に浸漬されていないとしても、水ポンプ３２は、依然として吸水スポンジ内に貯蔵される水を吸い出して底板アセンブリ２に供給し、スチームを一定の時間にわたって維持させることができる。また、アイロンがけしている間、アイロンが絶えず揺動するため、水タンクアセンブリ３内の水も絶えず揺れ、従って、吸水スポンジが絶えず水をかけられ、最終的には、かけられる電気アイロン１００が持続的に３６０°にわたってスチームを出すことができるようになる。
【００５２】
これにより、本発明の実施例に係る手持ち型電気アイロン１００は、垂直でかける場合でも、水平でかける場合でも、持続的に３６０°にわたってスチームを出すことを確保することができ、雑音を出すことを回避することができる上に、構造が簡単で、コストが低い。
【００５３】
本発明において、明確な規定と限定がない限り、第１特徴が第２特徴の「上」又は「下」にあることは、第１特徴と第２特徴とが直接的に接触することを含んでもよいし、第１特徴と第２特徴とが中間媒体を介して間接的に接触することを含んでもよい。また、第１特徴が第２特徴の「上」、「上方」又は「上面」にあることは、第１特徴が第２特徴の真上または斜め上にあってもよいし、或いは、単に第１特徴の水平高さが第２特徴より高いことだけを表す。第１特徴が第２特徴の「下」、「下方」又は「下面」にあることは、第１特徴が第２特徴の真下または斜め下にあってもよいし、或いは、単に第１特徴の水平高さが第２特徴より低いことだけを表す。
【００５４】
本発明の説明において、「一つの実施例」、「一部の実施例」、「例」、「具体的な例」、或いは「一部の例」などの用語を参考にした説明は、該実施例或いは例に合わせて説明された具体的な特徴、構成、材料或いは特性が、本発明の少なくとも一つの実施例或いは例に含まれることを意味する。本明細書において、上記用語に対して記載された例示的な説明は、必ずしも同一の実施例或いは例に対するものでなくともよい。また、説明された具体的な特徴、構成、材料或いは特性は、いずれか一つ或いは複数の実施形態又は例において適切に結合することができる。なお、互いに矛盾しない限り、当業者は、本明細書に記載された異なる実施例又は例、及び異なる実施例又は例の特徴を結合し、組み合わせることができる。
【００５５】
以上に、本発明の実施例を示して説明したが、上記実施例は、例示的なものであり、本発明を限定するものと理解してはいけない。当業者は、本発明の範囲内で、上記実施例に対して変更、修正、取り替え及び変形を行うことができる。
【符号の説明】
【００５６】
１００：手持ち型電気アイロン
１：ハウジング
１１：取手
２：底板アセンブリ
２１：気化室
２２：スチーム排出孔
３：水タンクアセンブリ
３１：水タンク
３１１：給水口
３１２：出水口
３１３：貯水室
３１４：流入管スリーブ
３１５：継手パイプ固定スリーブ
３１６：水タンク上蓋
３１７：水タンク下蓋
３２：水ポンプ
３３：流入管
３４：流出管
４：継手パイプ
５：吸水位置制限部
５１：位置制限溝
６：断熱部材
７：吸水部材 
【図１】
2019051289.tif 000003
【図２】
2019051289.tif 000004
【図３】
2019051289.tif 000005
【図４】
2019051289.tif 000006
【図５】
2019051289.tif 000007
【図６】
2019051289.tif 000008
【図７】
2019051289.tif 000009
【図８】
2019051289.tif 000010
【図９】
2019051289.tif 000011
【図１０】
2019051289.tif 000012
【図１１】
2019051289.tif 000013
【図１２】
2019051289.tif 000014
【図１３】
2019051289.tif 000015
【図１４】
2019051289.tif 000016
【図１５】
2019051289.tif 000017
【外国語明細書】
2019051289000001.pdf